(57)【特許請求の範囲】
【請求項１】
車体側に設けられる灯火器取付部に車両用灯火器の着脱を行なうための車体着脱機構であって、前記灯火器取付部には車両用灯火器のレンズの外形に見合う凹部が設けられると共に、該凹部には軸承部が設けられて前記車両用灯火器の背面側に設けられる揺動軸部とで、この凹部内で前記車両用灯火器を一方向に揺動自在に承持するものとされ、且つ、前記車両用灯火器の揺動する側の一方の端部にはフック部が、前記灯火器取付部の前記フック部に対応する端部にはフック掛着部が設けられ、前記車両用灯火器の揺動する側の他方の端部にはネジ穴が、前記灯火器取付部の前記ネジ穴に対応する端部には取付穴が設けられており、前記車体と車両用灯火器との取付は、前記凹部に前記車両用灯火器を挿入し、前記軸承部と前記揺動軸部とを合致させた状態で前記車両用灯火器のフック部が設けられている側を前面レンズ側から押圧することで前記フック部とフック掛着部とを係着させ、しかる後に前記取付穴と前記ネジ穴とを螺子により固定することで行ない、前記車体と車両用灯火器との取外しは、前記螺子を外して前記取付穴と前記ネジ穴との固定を解除した後に、前記車両用灯火器のネジ穴が設けられている側を前面レンズ側から押圧することで前記フック部とフック掛着部との係着を解除して前記凹部からの前記車両用灯火器の引き抜きを行なうものとされていることを特徴とする車両用灯火器の車体着脱機構。
【請求項２】
前記凹部への前記車両用灯火器の挿入はネジ穴側を先端として行ない、引き抜きは前記フック部側を先端として行なうことを特徴とする請求項１記載の車両用灯火器の車体着脱機構。
【発明の詳細な説明】
【０００１】
【発明の属する技術分野】
本発明は、ヘッドライト、テールライトなど光源により照明、信号機能を行なったり、あるいは、リフレックスリフレクタなど反射機能により信号機能を行なう車両用灯火器に関するものであり、詳細には、上記の車両用灯火器を車体に着脱するときの構成に係るものである。
【０００２】
【従来の技術】
従来のこの種の車両用灯火器９０における車体８０への着脱機構の例を示すものが図９〜図１１であり、先ず、図９に示す構成では車体８０の凹部８１にはネジ穴８１ａを設けておき、車両用灯火器９０をレンズ９１面側から貫通する取付ネジ８２で止着するものである。また、図１０に示すものは車両用灯火器９０にボス９２を設けておき、この車両用灯火器９０の背面側から止ネジ８３で止着を行なうものである。さらに、図１１に示すものは、車両用灯火器９０の側にスタッドピン９３などバネ性を利用した係止手段を設けておき、圧入することで凹部８１に設けられた取付穴８４に止着させるものである。
【０００３】
【発明が解決しようとする課題】
しかしながら、前記した従来の車体着脱機構において、先ず、図９に示したものでは、取付け、取り外しが容易である利点は有するが、前記取付ネジ８２が車両用灯火器９０の意匠面であるレンズ９１面に存在し美観を損ねる問題点を生じるものとなっている。また、図１０に示すものでは、確かに止ネジ８３は外部から見えるものとはならず美観に優れるものとなるが、背面から、即ち、目視で確認が行えない状況で前記止ネジ８３の取付け、取り外しを行なわなければならないものとなり、作業が困難となる問題点を生じている。
【０００４】
さらに、図１１に示したものでは、確かに取付性も美感も向上するものとはなるが、取り外しを行なう際には、例えば凹部８１と車両用灯火器９０との間の隙間にドライバーなどを差し込み、コジることでスタッドピン９３と取付穴８４との係着を解除しなければならないものとなり、その際に車両用灯火器９０のレンズ９１に破損を生じるなどして、作業時に車両用灯火器９０を破損させ使用不能となるなど、より重大な問題点を生じる要因を含むものとなっている。
【０００５】
【課題を解決するための手段】
本発明は、前記した従来の課題を解決するための具体的手段として、車体側に設けられる灯火器取付部に車両用灯火器の着脱を行なうための車体着脱機構であって、前記灯火器取付部には車両用灯火器のレンズの外形に見合う凹部が設けられると共に、該凹部には軸承部が設けられて前記車両用灯火器の背面側に設けられる揺動軸部とで、この凹部内で前記車両用灯火器を一方向に揺動自在に承持するものとされ、且つ、前記車両用灯火器の揺動する側の一方の端部にはフック部が、前記灯火器取付部の前記フック部に対応する端部にはフック掛着部が設けられ、前記車両用灯火器の揺動する側の他方の端部にはネジ穴が、前記灯火器取付部の前記ネジ穴に対応する端部には取付穴が設けられており、前記車体と車両用灯火器との取付は、前記凹部に前記車両用灯火器を挿入し、前記軸承部と前記揺動軸部とを合致させた状態で前記車両用灯火器のフック部が設けられている側を前面レンズ側から押圧することで前記フック部とフック掛着部とを係着させ、しかる後に前記取付穴と前記ネジ穴とを螺子により固定することで行ない、前記車体と車両用灯火器との取外しは、前記螺子を外して前記取付穴と前記ネジ穴との固定を解除した後に、前記車両用灯火器のネジ穴が設けられている側を前面レンズ側から押圧することで前記フック部とフック掛着部との係着を解除して前記凹部からの前記車両用灯火器の引き抜きを行なうものとされていることを特徴とする車両用灯火器の車体着脱機構を提供することで課題を解決するものである。
【０００６】
【発明の実施の形態】
つぎに、本発明を図に示す実施形態に基づいて詳細に説明する。図１に符号１で示すものは本発明に係る車両用灯火器であり、この車両用灯火器１は、ヘッドライト、テールライトなど光源を有するものであっても良く、あるいは、リフレックスリフレクタなど光源を有することはなく、反射により他車などに信号を発するものであっても良い。
【０００７】
ここで、本発明では前記車両用灯火器１に、揺動軸部２と、フック部３と、ネジ穴４とを設けるものであり、前記揺動軸部２は車両用灯火器１のハウジング１ａの長辺１ｂ側の略中心となる位置にリブ状などとして図示の状態で上方に突出して形成され、その先端２ａで後に説明する軸承部１３と突接するものとされている。また、前記揺動軸部２は図示の状態で下方の対称位置にも設けられていて、同様に対称位置に設けられる軸承部１３とで、前記車両用灯火器１をフック部３を一方の端部とし、ネジ穴４を他方の端部としてシーソ状に揺動させるものとなっている。
【０００８】
図２は車体１０における灯火器取付部１１を示すものであり、この灯火器取付部１１には前記車両用灯火器１を収納するのに適切な寸法とした凹部１２が設けられている。そして、この凹部１２には前記揺動軸部２に対応する位置に軸承部１３が設けられている。このときに、前記軸承部１３は例えばＶ字状に形成され、凹部１２に車両用灯火器１を挿入する際に、前記揺動軸部２と軸承部１３とが合致したことが手応えにより作業者に明確に判るようにされている。
【０００９】
同時に、前記凹部１２には前記車両用灯火器１の一方の端部に設けられたフック部３に対応してはフック掛着部１４が設けられ、他方の端部に設けられたネジ穴４に対応しては取付穴１５が設けられている。前記フック部３とフック掛着部１４とを掛着した状態では、前記ネジ穴４と取付穴１５とも位置的に一致するものとされている。
【００１０】
図３〜図５は上記の構成とした本発明の車両用灯火器１を車体１０に取付けるときの手順を示すものであり、先ず、第一の手順としては図３に示すように、凹部１２内に車両用灯火器１を、図中に矢印Ｓで示す方向にネジ穴４側を先頭方向として挿入するが、このときに、挿入を行なうに従い前記揺動軸部２の先端２ａが軸承部１３に当接するものとなり、前記車両用灯火器１の移動方向は軸承部１３によりガイドが行なわれるものとなって、例えばＶ字状などと軸承部１３の形状を形成したことにより、作業者は揺動軸部２が軸承部１３の所定位置に達したことを手応えで察知できるものとなる。
【００１１】
上記所定位置に達したならば、作業者は図４に示すように前記車両用灯火器１のレンズ１ｃのフック部３が設けられている側を手などで押圧すれば、車両用灯火器１は前記揺動軸部２の先端２ａを軸としてシーソ状に動き、この結果、フック部３とフック掛着部１４とは掛着されるものとなる。そして、フック部３とフック掛着部１４との掛着が行なわれれば、車体１０の取付穴１５と、車両用灯火器１のネジ穴４とは位置的に整合するものとなるので、図５に示すように車体１０外面側からビス１６により固定を行なえば、車両用灯火器１は確実に車体１０に取付けられるものとなる。
【００１２】
上記説明のようにして車体１０に取付が行なわれた車両用灯火器１であっても、例えば光源の断線、あるいは、事故による破損などにより車体から取り外しを行なわなければならない事態を生じる。図６〜図８は上記取り外しを行なうときの手順を示すものであり、まず最初には前記ビス１６を取り外し、車両用灯火器１を上記にも説明した揺動軸部２と軸承部１３による揺動が可能な状態（図６参照）とする。
【００１３】
そして、前記車両用灯火器１のレンズ１ｃのネジ穴４寄りの部分を手などにより押圧（図７参照）すれば、前記フック部３とフック掛着部１４との掛着が解除され、車両用灯火器１はフック部３側が車体１０から浮き上がる状態となるので、図中に矢印Ｐで示す方向にフック部３側に向かい引き抜けば（図８参照）車両用灯火器１は容易に車体から取り外しが行なえるものとなる。
【００１４】
以上の説明でも明らかなように、本発明に係る車体着脱機構によれば、車体１０の外面側から容易に車両用灯火器１の取付け、および、取り外しが行なえるものとなり、このときに車両用灯火器１を取付けるためのビス１６はレンズ１ｃ面以外の位置に設けられているので外観を損なうことがない。また、取り外し時においてもレンズ１ｃ面を押圧するのみで行なえるものとなるので、極めて容易であり、且つ、傷付きなども生じないものとなる。
【００１５】
【発明の効果】
以上に説明したように本発明により、車両用灯火器には揺動軸部を、車体側には軸承部を設け車両用灯火器が車体の凹部内でシーソ状に揺動自在な状態とすると共に、車両用灯火器の揺動する一方の端部にはフック部を他方の端部にはネジ穴を設け、凹部の一方の端部にはフック掛着部、他方の端部には取付穴を設けておき、車両用灯火器の他方の端部にはネジ穴、凹部の他方の端部には取付穴を設けておき、レンズを外側から押圧することで前記フック部とフック掛着部とを係着させ、しかる後に前記取付穴と前記ネジ穴とを螺子により固定する車両用灯火器の車体着脱機構としたことで、ネジがレンズ面に設けられて外観を損なう問題もなく、また、外観を損なわないために裏面から取付作業を行なわざるを得ず作業性を損なうという問題点もなく、更には、外観を損なわないためにクリップ、スタッドピンなどを使用し、取外作業時が困難で、且つ、破損を生じるなどの問題点を生じることもなく簡便、確実に着脱ができるものとして、この種の車両用灯火器に対する取付け、取外しを簡素化し作業性の向上に極めて優れた効果を奏するものである。
【図面の簡単な説明】
【図１】  本発明に係る車両用灯火器の車体着脱機構における車両用灯火器側の構成を示す斜視図である。
【図２】  同じく本発明に係る車両用灯火器の車体着脱機構における車体側の構成を示す斜視図である。
【図３】  本発明に係る車両用灯火器の車体着脱機構における車両用灯火器の取付工程の第一の手順を示す説明図である。
【図４】  同じく車両用灯火器の取付工程の第二の手順を示す説明図である。
【図５】  同じく車両用灯火器の取付工程の第三の手順を示す説明図である。
【図６】  本発明に係る車両用灯火器の車体着脱機構における車両用灯火器の取外工程の第一の手順を示す説明図である。
【図７】  同じく車両用灯火器の取外工程の第二の手順を示す説明図である。
【図８】  同じく車両用灯火器の取外工程の第三の手順を示す説明図である。
【図９】  従来例を示す説明図である。
【図１０】  別の従来例を示す説明図である。
【図１１】  更に別の従来例を示す説明図である。
【符号の説明】
１……車両用灯火器
１ａ……ハウジング
１ｂ……長辺
１ｃ……レンズ
２……揺動軸部
２ａ……先端
３……フック部
４……ネジ穴
１０……車体
１１……灯火器取付部
１２……凹部
１３……軸承部
１４……フック掛着部
１５……取付穴
１６……ビス
【図１】
0003891276.tif 000002
【図２】
0003891276.tif 000003
【図３】
0003891276.tif 000004
【図４】
0003891276.tif 000005
【図５】
0003891276.tif 000006
【図６】
0003891276.tif 000007
【図７】
0003891276.tif 000008
【図８】
0003891276.tif 000009
【図９】
0003891276.tif 000010
【図１０】
0003891276.tif 000011
【図１１】
0003891276.tif 000012